(57)【特許請求の範囲】
【請求項１】
直管部および曲管部が連続する如く蛇行状に形成された冷媒チューブと、前記冷媒チューブが貫通する冷媒チューブ挿入穴を複数有し、相互に間隔をおいて配置された多数のプレートフィンと、前記プレートフィンを挟んで配置された第一端板および第二端板とを備え、前記第一端板は、前記冷媒チューブの一方の曲管部が貫通した第一貫通穴と、前記冷媒チューブの少なくとも始端または終端が貫通する端部穴とをそれぞれ有し、前記第二端板は、前記一方の曲管部と反対側に位置する他方の曲管部が貫通した第二貫通穴を有し、前記第一貫通穴は、第一矩形部と、前記第一矩形部の両端の、前記第一矩形部の短辺を一辺とする三角形であって、前記短辺と対向する頂角部を所定の円弧に形成した三角形部とで形成される熱交換器。
【請求項２】
前記第二貫通穴および前記冷媒チューブ挿入穴を、第二矩形部と、前記第二矩形部の両端の、前記冷媒チューブの外径より大径の円形部とで形成し、前記冷媒チューブ挿入穴および前記第一貫通穴の長手方向寸法を、前記第二貫通穴の長手方向寸法より大きくし、前記冷媒チューブ挿入穴の円形部の径を、前記第二貫通穴の円形部の径よりも大きくした請求項１に記載の熱交換器。
【請求項３】
前記冷媒チューブの蛇行を、縦列に蛇行する縦列部分と、前記縦列部分から横方向に蛇行する横列部分とを有する形状とし、前記横列部分の曲管部が貫通する前記第一貫通穴の前記第一矩形部の短辺を、前記縦列部分の曲管部が貫通する前記第一貫通穴の前記第一矩形部の短辺より長くした請求項１または２に記載の熱交換器。
【請求項４】
前記第一端板および第二端板の少なくとも一方の材質を鋼板とした請求項１から３のいずれか一項に記載の熱交換器。
【請求項５】
前記第一貫通穴および前記第二貫通穴をプレス成型加工により形成し、前記加工時に形成される前記第一貫通穴周縁および前記第二貫通穴周縁のバリの延出方向が、前記曲管部が貫通する方向となるように前記第一端板および前記第二端板を配置した請求項１から４のいずれか一項に記載の熱交換器。
【請求項６】
前記三角形部が、前記第一矩形部の短辺を底辺とする二等辺三角形を形成する請求項１から５のいずれか一項に記載の熱交換器。
【請求項７】
前記第一貫通穴の前記三角形部における前記頂角部の円弧の径を、前記冷媒チューブ挿入穴の円形部の径より小さくし、前記第二貫通穴の前記円形部の径より大きくした請求項１から６のいずれか一項に記載の熱交換器。
【請求項８】
前記第一端板は、前記冷媒チューブの貫通状態において一部が前記第一貫通穴内側へ突出して前記冷媒チューブの外壁面に密着する密着部を有する、前記第一矩形部と併設された加工穴を具備する請求項１から７のいずれか一項に記載の熱交換器。
【請求項９】
前記加工穴を、前記第一端板の最も外側に位置する前記第一貫通穴の近傍に設けた請求項８に記載の熱交換器。
【請求項１０】
前記加工穴を、前記第一端板の周縁との間に前記第一貫通穴が介在する位置に設けた請求項８または９に記載の熱交換器。
【発明の詳細な説明】
【技術分野】
【０００１】
本発明は、冷凍サイクル等に使用される熱交換器に関するものである。
【背景技術】
【０００２】
冷凍空調機器に用いられる熱交換器の冷媒漏れは、冷凍空調機器自体の機能を喪失してしまうことから、熱交換器の冷媒漏れの低減が大きな課題である。また、地球温暖化対策として冷媒のノンフロン化が加速する中で、代替冷媒の大きな候補の可燃性であるＨＣ（炭化水素）冷媒においては、製品安全の面からも熱交換器の冷媒漏れの防止は必要不可欠である。
【０００３】
かかる構成の熱交換器において、冷媒漏れの発生箇所は主に配管の接合部分であり、かかる点から、冷媒回路を一本の連続した冷媒チューブで構成した接合部を有しない熱交換器が知られている（例えば、特許文献１参照）。
【０００４】
図１２はこのような従来の熱交換器を示す斜視図である。図１２に示すように、熱交換器５１は、複数の冷媒チューブ挿入用長穴を設けた一群のプレートフィン５２を有している。また、熱交換器５１は、直管部および曲管部が連続する蛇行状に折り曲げた一本の連続した冷媒チューブ５３を有している。さらに、熱交換器５１は、複数の冷媒チューブ挿入用長穴５４ａが形成された、冷媒チューブ挿入側の側板５４と、曲管部側の側板５５とを有している。
【０００５】
そして、熱交換器５１の組立ては、まず、一群のプレートフィン５２と、その一群のプレートフィン５２を挟んで側板５４、側板５５を配置する。次に、この状態において、冷媒チューブ５３を、その配置された側板５４と、一群のプレートフィン５２と、側板５５とに貫通させることによって行われる。その貫通に際し、冷媒チューブ５３を、冷媒チューブ挿入側の側板５４側から、冷媒チューブ５３の曲管部（湾曲部）５３ａを長穴５４ａより挿入する。冷媒チューブ５３が、冷媒チューブ挿入側の側板５４、一群のプレートフィン５２、曲管部側の側板５５を貫通した後、冷媒チューブ５３内に液圧等を加える等して冷媒チューブ５３の径を拡大（拡管）する。これにより、冷媒チューブ５３と、側板５４、側板５５、およびプレートフィン５２群を、密着固定するものである。
【特許文献１】特開平１１−３３３５３９号公報
【発明の開示】
【発明が解決しようとする課題】
【０００６】
しかしながら、上記従来の熱交換器５１において、複数の冷媒チューブ挿入用長穴５４ａを設けた側板５４に冷媒チューブ５３を挿入するときは、冷媒チューブ５３の直管部が、曲管部５３ａ側（挿入先）から冷媒チューブ挿入側（挿入元）に亘って、連続して冷媒チューブ挿入側の側板５４に設けた冷媒チューブ挿入用長穴５４ａと摩擦接触する状態で挿入が行われる。かかる挿入工程においては、特に冷媒チューブ５３が側板５４（挿入元）を通過する際の摩擦抵抗が大きい。その結果、従来の熱交換器５１は、冷媒チューブ５３の挿入工程で冷媒チューブ５３の座屈、反り、折れ曲がり等の工程不良が発生し、製造歩留まりが悪化して製造コストが高くなるという課題を有していた。
【０００７】
また、冷媒チューブの工程不良防止のために、冷媒チューブ挿入側の側板５４の冷媒チューブ挿入用穴５４ａを、冷媒チューブ５３に対して十分なクリアランスを確保した寸法にすると、冷媒チューブ５３の挿入性を改善することができる。しかし、冷媒チューブ挿入側の側板５４の冷媒チューブ挿入用穴５４ａが、冷媒チューブ５３に対するクリアランスが大きすぎて、拡管工程後においても、冷媒チューブ挿入側の側板５４と冷媒チューブ５３が十分に密着固定されず、品質が悪化するという課題を有する。
【０００８】
本発明は、上記従来の課題を解決するもので、冷媒チューブと側板との摩擦抵抗が大きくならず、製造歩留まりがよく、低コスト、かつ高品質な熱交換器を提供することを目的とするものである。
【課題を解決するための手段】
【０００９】
上記課題を解決するために本発明の熱交換器は、直管部および曲管部が連続する如く蛇行状に形成された冷媒チューブと、冷媒チューブが貫通する冷媒チューブ挿入穴を複数有し、相互に間隔をおいて配置された多数のプレートフィンと、プレートフィンを挟んで配置された第一端板および第二端板とを備え、第一端板は、冷媒チューブの一方の曲管部が貫通した第一貫通穴と、冷媒チューブの少なくとも始端または終端が貫通する端部穴とをそれぞれ有し、第二端板は、一方の曲管部と反対側に位置する他方の曲管部が貫通した第二貫通穴を有し、第一貫通穴は、第一矩形部と、第一矩形部の両端の、第一矩形部の短辺を一辺とする三角形であって、短辺と対向する頂角部を所定の円弧に形成した三角形部とで形成したものである。
【００１０】
これにより、熱交換器の組立て時において、冷媒チューブと第一貫通穴の摩擦接触が抑制され、冷媒チューブの変形、折れ曲がり等の不具合の発生リスクが軽減される。したがって、不要なコストをかけることが少ない熱交換器が得られる。
【００１１】
すなわち、第一貫通穴の形状を、第一矩形部と、この第一矩形部の短辺に形成した三角形部とで構成しているため、特に三角形部の直線状の二辺（頂角部を挟む二辺）部において、冷媒チューブとの摩擦箇所が少なくなる。したがって、冷媒チューブと第一貫通穴の摩擦接触を一層抑制することができ、冷媒チューブの変形等といった不具合の発生リスクを大きく軽減することができる。
【発明の効果】
【００１２】
本発明は、組立て時における冷媒チューブの第一貫通穴との摩擦接触に起因する損傷、反り等を抑制するものである。その結果、製造歩留まりがよく、熱交換器の品質を高め、さらに、不要なコストをかけることが少ない低コストの熱交換器を得ることができる。
【発明を実施するための最良の形態】
【００１３】
請求項１に記載の発明は、直管部および曲管部が連続する如く蛇行状に形成された冷媒チューブと、前記冷媒チューブが貫通する冷媒チューブ挿入穴を複数有し、相互に間隔をおいて配置された多数のプレートフィンと、前記プレートフィンを挟んで配置された第一端板および第二端板とを備え、前記第一端板は、前記冷媒チューブの一方の曲管部が貫通した第一貫通穴と、前記冷媒チューブの少なくとも始端または終端が貫通する端部穴とをそれぞれ有し、前記第二端板は、前記一方の曲管部と反対側に位置する他方の曲管部が貫通した第二貫通穴を有し、前記第一貫通穴は、第一矩形部と、前記第一矩形部の両端の、前記第一矩形部の短辺を一辺とする三角形であって、前記短辺と対向する頂角部を所定の円弧に形成した三角形部とで形成されたものである。
【００１４】
かかる構成とすることにより、前記第一端板に設けた第一貫通穴の寸法を、冷媒チューブの曲管部寸法にクリアランスを設けた寸法とすることができる。その結果、組立て時における冷媒チューブの第一貫通穴との摩擦接触に起因する損傷、反り等を抑制した熱交換器を得ることができる。したがって、不要なコストをかけることが少ない低コストの熱交換器を得ることができる。
【００１５】
すなわち、前記第一貫通穴の形状を、第一矩形部と、この第一矩形部の両側の短辺に形成した三角形部とで構成している。そのため、特に三角形部の二辺（直線）部において、冷媒チューブとの摩擦箇所が少なくなる。したがって、冷媒チューブと第一貫通穴の摩擦接触を一層抑制することができ、冷媒チューブにおける変形等の不具合の発生リスクを一層軽減することができる。
【００１６】
請求項２に記載の発明は、請求項１に記載の熱交換器において、前記第二貫通穴および前記冷媒チューブ挿入穴を、第二矩形部と、前記第二矩形部の両端の、前記冷媒チューブの外径より大径の円形部とで形成し、前記冷媒チューブ挿入穴および前記第一貫通穴の長手方向寸法を、前記第二貫通穴の長手方向寸法より大きくし、前記冷媒チューブ挿入穴の円形部の径を、前記第二貫通穴の円形部の径よりも大きくしたものである。
【００１７】
かかる構成とすることにより、前記冷媒チューブ挿入時における前記第一端板、第二端板と冷媒チューブのクリアランスが十分得られ、摩擦接触を抑制することができる。その結果、損傷あるいは反りの極めて少ない冷媒チューブの貫通構造が得られ、熱交換器の品質を高めることができる。また、前記冷媒チューブの拡管によって、冷媒チューブと第一端板、第二端板の固定を確実なものとすることができる。
【００１８】
請求項３に記載の発明は、請求項１または２に記載の熱交換器において、前記冷媒チューブの蛇行を、縦列に蛇行する縦列部分と、前記縦列部分から横方向に蛇行する横列部分とを有する形状とし、前記横列部分の曲管部が貫通する前記第一貫通穴の前記第一矩形部の短辺を、前記縦列部分の曲管部が貫通する前記第一貫通穴の前記第一矩形部の短辺より長くしたものである。
【００１９】
かかる構成とすることにより、前記冷媒チューブの加工において、寸法形状が安定しない横列部分（ひねり加工部分）においても、冷媒チューブと第一端板との摩擦抵抗を低減することができるため、冷媒チューブを容易に挿入することができる。したがって、横列方向に曲げ加工された冷媒チューブにおいても損傷を少なくすることができる。
【００２０】
請求項４に記載の発明は、請求項１から３のいずれか一項に記載の熱交換器において、前記第一端板および第二端板の少なくとも一方の材質を鋼板としたものである。
【００２１】
かかる構成とすることにより、安価な鋼板を使用することで、熱交換器の材料費を低減することができる。
【００２２】
請求項５に記載の発明は、請求項１から４のいずれか一項に記載の熱交換器において、前記第一貫通穴および前記第二貫通穴をプレス成型加工により形成し、前記加工時に形成される前記第一貫通穴周縁および前記第二貫通穴周縁のバリの延出方向が、前記曲管部が貫通する方向となるように前記第一端板および前記第二端板を配置したものである。
【００２３】
かかる構成とすることにより、前記冷媒チューブの第一端板および第二端板への貫通時において、バリが冷媒チューブを損傷するリスクが少なくできる。したがって、自動化装置によって冷媒チューブを挿入する場合であっても、冷媒チューブの損傷を少なくすることができ、熱交換器の品質を損なうことも抑制できる。
【００２４】
請求項６に記載の発明は、請求項１から５のいずれか一項に記載の熱交換器において、前記三角形部が、前記第一矩形部の短辺を底辺とする二等辺三角形を形成するものである。
【００２５】
かかる構成とすることにより、前記冷媒チューブの三角形部との接触が安定し、接触面積も非常に少なくなる。したがって、冷媒チューブの損傷を少なくすることができ、熱交換器の品質を損なうことも抑制できる。
【００２６】
請求項７に記載の発明は、請求項１から６のいずれか一項に記載の熱交換器において、前記第一貫通穴の前記三角形部における前記頂角部の円弧の径を、前記冷媒チューブ挿入穴の円形部の径より小さくし、前記第二貫通穴の前記円形部の径より大きくしたものである。
【００２７】
かかる構成とすることにより、前記冷媒チューブが前記第一端板を通過する際の摩擦抵抗を一層低減できるため、冷媒チューブを一層損傷することなく挿入することができ、かつ、冷媒チューブ拡管後の側板と冷媒チューブの密着固定状態を良好に維持することができる。
【００２８】
請求項８に記載の発明は、請求項１から７のいずれか一項に記載の熱交換器において、前記第一端板は、前記冷媒チューブの貫通状態において一部が前記第一貫通穴内側へ突出して前記冷媒チューブの外壁面に密着する密着部を有する、前記第一矩形部と併設された加工穴を具備するものである。
【００２９】
かかる構成とすることにより、第一端板に設けた加工穴の一部を塑性変形し、冷媒チューブと密着させることができる。これにより、第一端板と冷媒チューブの密着を強固なものとすることができ、その結果、端板のがたつき、外れといった不具合の少ない高品質の熱交換器を得ることができる。
【００３０】
請求項９に記載の発明は、請求項８に記載の熱交換器において、前記加工穴を、前記第一端板の最も外側に位置する前記第一貫通穴の近傍に設けたものである。
【００３１】
かかる構成とすることにより、前記冷媒チューブの左右両側で第一端板および第二端板と冷媒チューブの密着を行った構成となる。したがって、各端板周縁に撓み等の応力が作用しても、加工穴と冷媒チューブの密着の緩みが生じ難く、密着状態を良好に維持することができる。
【００３２】
請求項１０に記載の発明は、請求項８または９に記載の熱交換器において、前記加工穴を、前記第一端板の周縁との間に前記第一貫通穴が介在する位置に設けたものである。
【００３３】
かかる構成とすることにより、前記第一端板の周縁と貫通穴の間部分の強度を確保することができる。したがって、加工穴の一部を冷媒チューブに密着させる場合において、第一端板の、特に周縁部における変形が抑制され、熱交換器の品質を損なうことが抑制できる。
【００３４】
以下、本発明の実施の形態について、図面を参照しながら説明する。なお、この実施の形態によってこの発明が限定されるものではない。
【００３５】
（実施の形態１）
図１は、本発明の実施の形態１における熱交換器の斜視図である。図２Ａは、同実施の形態１の熱交換器を構成する第一端板の組立て前の平面図である。図２Ｂは、同実施の形態１の熱交換器を構成する第一端板における冷媒チューブの曲げ加工公差が大きい場合の要部平面図である。図２Ｃは、同実施の形態１の熱交換器を構成する第一端板における冷媒チューブの曲げ加工公差が小さい場合の要部平面図である。図３は、同実施の形態１の熱交換器を構成する第二端板の平面図である。図４は、同実施の形態１の熱交換器を構成するプレートフィンの平面図である。図５は、同実施の形態１における熱交換器の第一端板に設けられた縦列挿入穴となる第一貫通穴の平面図である。図６は、同実施の形態１における熱交換器の第二端板に設けられた第二貫通穴の平面図である。図７は、同実施の形態１における熱交換器の製造工程において冷媒チューブをプレートフィン群へ挿入する前の工程図である。図８は、同実施の形態１における熱交換器の冷媒チューブの貫通状態を示す要部断面図である。
【００３６】
図１において、本実施の形態１の熱交換器１は、直管部３ａおよび曲管部３ｂが連続し、かつ縦列Ａおよび横列Ｂに複数となるように蛇行状に曲げ加工して形成した冷媒チューブ３を備えている。また、熱交換器１は、冷媒チューブ３が挿入される長穴状の冷媒チューブ挿入用穴２ａ（図４参照）が複数形成され、互いに間隔をおいて配置され、冷媒チューブ３が挿入された一群のプレートフィン（以下、プレートフィン群と称す）２を備えている。また、熱交換器１は、プレートフィン群２を挟み込むようにプレートフィン群２の両端に位置し、冷媒チューブ３が挿入され、冷媒チューブ３と密着するように固定された第一端板４および第二端板５を備えている。ここで、第一端板４は、冷媒チューブ３の挿入側（挿入元）となり、第二端板５は、冷媒チューブ３の貫通側（挿入先）となる。
【００３７】
冷媒チューブ３には、一般に銅あるいはアルミ材等の材料が用いられる。また、プレートフィン群２にはアルミ材が用いられる。さらに、第一、第二の各端板４、５には、鋼材が用いられる。
【００３８】
第一端板４は、前述の如く熱交換器１の組立工程において、冷媒チューブ３の挿入方向の挿入側（挿入元）における曲管部３ｂ、３Ａが貫通する。第二端板５は、組立工程において、挿入方向の貫通側（挿入先）における曲管部３Ｂが貫通する。
【００３９】
第一端板４は、冷媒チューブ３の直管部３ａの始端３ｃと終端３ｄが貫通する端部穴６を有している。また、第一端板４は、冷媒チューブ３の曲管部３ｂが貫通する第一貫通穴としての縦列挿入穴７を有している。さらに、第一端板４は、冷媒チューブ３のひねり加工が施された曲管部３Ａが貫通する第一貫通穴としての横列挿入穴９を有している。これらの端部穴６、縦列挿入穴７、および横列挿入穴９は、プレス加工成形によって設けられている。
【００４０】
ここで、第一端板４は、始端３ｃと終端３ｄを同一面側に設けている関係上、双方の端部穴６を設けているが、始端３ｃ、終端３ｄのいずれか一方を第二端板５側に設ける場合には、第二端板５にも端部穴６を設けることになる。
【００４１】
そして、端部穴６は、冷媒チューブ３の外径より大きい直径で形成されている。また、第一端板４に設けた縦列挿入穴７および横列挿入穴９は、図２Ａ、図２Ｂ、図２Ｃに示す如く、第一矩形部７Ａ、９Ａと、第一矩形部７Ａ、９Ａの両端に形成された、三角形部としての略二等辺三角形部７Ｂ、９Ｂを有している。略二等辺三角形部７Ｂ、９Ｂは、第一矩形部７Ａ、９Ａの短辺を底辺とする二等辺三角形７０であって、その頂角部を所定の円弧に形成した円弧部７１と、円弧部７１と矩形部７Ａ、９Ａをつなぐ直線部７２とから構成される。したがって、縦列挿入穴７および横列挿入穴９は、略二等辺三角形部７Ｂ、９Ｂが、第一矩形部７Ａ、９Ａの両端においてそれぞれの短辺に連続しており、全体として長穴形状に形成されている。そして、縦列挿入穴７、横列挿入穴９は、その矩形部７Ａ、９Ａの短辺寸法が、冷媒チューブ３の径よりも若干大きな寸法に設定されている。
【００４２】
すなわち、縦列挿入穴７を貫通する曲管部３ｂは、後述するひねり加工された曲管部３Ａと異なり、単に冷媒チューブ３の直管部３ａを所定の径に湾曲させたものであるが、その曲げ加工に伴って若干径の寸法に公差が生じている。その結果、縦列挿入穴７は、前述の公差を含んだ冷媒チューブ３の径に近い寸法を幅とする長穴形状に形成されている。具体的には、冷媒チューブ３の貫通において、クリアランスが大きすぎると冷媒チューブ３との密着性が確保できないため、摩擦接触が少なくなる寸法か、あるいはほとんど摩擦抵抗がない程度の寸法に設定されている。
【００４３】
換言すると、図２Ａにおいて、縦列挿入穴７、横列挿入穴９の長辺方向の長さＬは、冷媒チューブ３の蛇行幅Ｍ（図１参照）よりも若干大きい。そして、縦列挿入穴７、横列挿入穴９は、冷媒チューブ３の縦列Ａ配置と横列Ｂ配置に沿って所定の位置に形成されている。また、横列Ｂに沿った横列挿入穴９は、冷媒チューブ３の横列Ｂの展開に沿う如く傾斜している。
【００４４】
また、横列挿入穴９は、縦列挿入穴７よりも、長辺方向の長さおよび短辺方向の長さが、さらに若干大きく形成されている。すなわち、横列挿入穴９の長辺および短辺を縦列挿入穴７の長辺および短辺より長くしてある（説明の都合上、図２Ａでは、縦列挿入穴７、横列挿入穴９は同じ寸法で示してある）。
【００４５】
かかる理由は、冷媒チューブ３の加工において、横列Ｂの曲管部３Ａは、その引き回しにおいて、所定の傾斜角度を持たせるためにひねり加工が施される。その結果、単純に所定の寸法で湾曲した縦列Ａの曲管部３ｂと異なり、寸法形状が安定し難い状態となっているためである。
【００４６】
したがって、横列挿入穴９を縦列挿入穴７よりもさらに若干大きく形成することにより、熱交換器１の組立て時において、横列部分（ひねり加工部分）においても、冷媒チューブ３と第一端板４との摩擦抵抗を低減することができる。そのため、冷媒チューブ３を比較的容易に挿入することができる。その結果、横列方向に曲げ加工された冷媒チューブ３においても損傷を少なくすることができる。
【００４７】
また、第二端板５には、図３に示す如く、冷媒チューブ３の曲管部３Ｂが貫通する第二貫通穴８がプレス加工成形によって設けられている。
【００４８】
第二貫通穴８は、第二矩形部８Ａと、第二矩形部８Ａの両端の、第二矩形部８Ａの短辺の寸法よりも大きい寸法の径を有する円部８Ｂとより形成される。第二矩形部８Ａの両方の短辺に円部８Ｂを連続させることにより、第二貫通穴８は、長手方向の両端が膨らんだ長穴形状に形成されている。また、円部８Ｂは、冷媒チューブ３の管径よりも微小に大きく設定されている。
【００４９】
第二貫通穴８をかかる形状とする理由は、冷媒チューブ３の曲管部３Ｂが、プレートフィン群２および第二端板５を貫通する際に、その貫通が円滑となるように曲管部３Ｂの円弧部を若干扁平に加工しているためである。また、第二貫通穴８を冷媒チューブ３の管径より微小に大きく設定する理由は、冷媒チューブ３の貫通が比較的円滑に行えるようにするためである。
【００５０】
したがって、冷媒チューブ３が第二端板５を貫通した状態では、第二貫通穴８の円部８Ｂと冷媒チューブ３は略密着した状態となっている。
【００５１】
また、第二端板５の第二貫通穴８は、第一端板４と同様に、プレス打ち抜き加工によって形成されている。
【００５２】
したがって、第一端板４および第二端板５において、プレス打ち抜き加工によって形成されたこれらの穴の周縁には、例えば、縦列挿入穴７の周縁には図５に示すようなバリ１０ａが、第二貫通穴８の周縁には図６に示すようなバリ１０ｂが、打ち抜き方向に微小に延出して残存する。
【００５３】
また、プレートフィン群２の各プレートフィンには、図４に示す如く、第二端板５に設けられた第二貫通穴８と略相似形となるように、矩形部２ｂとその短辺部に円部２ｃを連続させた、即ち両端が膨らんだ長穴形状の冷媒チューブ挿入穴２ａがプレス成型加工によって設けられている。冷媒チューブ挿入穴２ａは、第二貫通穴８よりも若干大きく形成されている。そして、冷媒チューブ挿入穴２ａの周囲には、図７に示すように、相互のフィン間隔の規制、および冷媒チューブ３との熱伝導を良好とするためのカラー部２ｄが設けられている。
【００５４】
また、本実施の形態１の熱交換器１では、冷媒チューブ挿入穴２ａの長手方向寸法および第一貫通穴である縦列挿入穴７、横列挿入穴９の長手方向寸法を、第二貫通穴８の長手方向寸法より大きくしてある。また、冷媒チューブ挿入穴２ａの円形部２ｃの径を、第二貫通穴８の円形部８Ｂの径よりも大きくしてある。さらに、縦列挿入穴７、横列挿入穴９の略二等辺三角形部７Ｂ、９Ｂにおける頂角部の円弧部７１の径を、冷媒チューブ挿入穴２ａの円形部２ｃの径より小さくし、第二貫通穴８の円形部８Ｂの径より大きくしてある。
【００５５】
次に、以上のように構成された熱交換器１の組立て方法について、図７および図８を参照しながら説明する。
【００５６】
まず、真っ直ぐなパイプを縦列Ａおよび横列Ｂに複数となるよう蛇行状に曲げ加工して形成した冷媒チューブ３を、その曲管部３Ｂから図７に示す如く、プレートフィン群２に設けた冷媒チューブ挿入穴２ａに挿入する。その方向は、冷媒チューブ挿入穴２ａに設けたカラー部２ｄの反延出方向からの挿入とする。このような方向から挿入するのは、冷媒チューブ３とカラー部２ｄの干渉が少なく、好ましいからである。そして、さらに挿入を続け、所定の挿入を完了する。
【００５７】
上述の挿入に際し、曲管部３Ｂは、予めその先端部が若干扁平となるように加工されているため、プレートフィン群２への挿入も円滑となり、その挿入時の干渉によって冷媒チューブ挿入穴２ａおよびカラー部２ｄが変形することも抑制できる。
【００５８】
そして、冷媒チューブ３のプレートフィン群２への挿入が完了した後に、曲管部３ｂ側から第一端板４を、その縦列挿入穴７、横列挿入穴９が曲管部３ｂ、３Ａを貫通するように挿入する。また、曲管部３Ｂ側から第二端板５を、その第二貫通穴８が曲管部３Ｂを貫通するように挿入する。
【００５９】
このとき、第一端板４および第二端板５の面を、図８に示すように、縦列挿入穴７、横列挿入穴９および第二貫通穴８の周縁に形成されたバリ１０ａ、１０ｂが外側に位置するように配置する。その結果、第一端板４のバリ１０ａと第二端板５のバリ１０ｂは、相反する方向に延出している。
【００６０】
そして、第一端板４および第二端板５が、それぞれ所定の位置に挿入された状態で、冷媒チューブ３内に、高圧に加圧された水あるいは油等の液体を圧入する。これにより、その液圧によって冷媒チューブ３が拡管され、冷媒チューブ３とプレートフィン群２、第一端板４、第二端板５の相互を密着固定させる。
【００６１】
上述の如く本実施の形態１の熱交換器１は、プレートフィン群２に冷媒チューブ３が貫通した状態で第一端板４および第二端板５を取付けて組み立てられることになる。
【００６２】
上述の組立てにおいて、冷媒チューブ３の曲管部３Ｂを第二端板５の第二挿入穴８へ挿入する工程は、前述の如くその曲管部３Ｂの先端が若干扁平に加工されていることから、比較的円滑に挿入することができる。そのため、第二端板５の挿入に伴う冷媒チューブ３の反り、あるいは曲がりといった弊害は発生し難い。
【００６３】
一方、第一端板４側においては、冷媒チューブ３を曲げ加工した状態で扁平加工部がないため、第二端板５側と異なり、冷媒チューブ３の挿入が若干複雑となる。
【００６４】
ここで、曲管部３ｂを例に、縦列挿入穴７との摩擦接触状態について説明する。曲管部３ｂは、曲げ加工に伴いその径（形状）が歪み、その結果、径寸法において大小の公差を有している。図２Ｂは、この公差が最も大きい場合を示している。
【００６５】
つまり、曲管部３ｂは、曲げ加工されると、図２Ｂでは横方向に若干膨らむようになる。そして、公差が最も大きい状態であるため、曲管部３ｂの外周は、縦列挿入穴７の円弧部７１と接触することが困難な状態となる。
【００６６】
換言すると、この場合、冷媒チューブ３と第一端板４が干渉（摩擦接触）する部分は、略二等辺三角形部７Ｂ、９Ｂの両方の直線部７２である。すなわち、この部分は、基本的には点接触する部分である。したがって、冷媒チューブ３の第一端板４の縦列挿入穴７への挿入に伴い、冷媒チューブ３が第一端板４と干渉（摩擦接触）する状態は、冷媒チューブ３において、第一端板４がプレートフィン群２に近づく距離（長さ）で延びる線状態である。すなわち、摩擦接触する面積は、点接触と線状態との積で表され、非常に少ない。これは、横列挿入穴９と曲管部３Ａとの関係においても同様である。
【００６７】
そして、拡管することにより、冷媒チューブ３は、第一端板４側においては、縦列挿入穴７、横列挿入穴９の円弧部７１にも接触が可能となり、また、第二端板５側においては、第二貫通穴８の円部８Ｂと密着する。このように、冷媒チューブ３と第一端板４、冷媒チューブ３と第二端板５が密着し、三者は密着固定される。
【００６８】
また、曲管部３ｂ（曲管部３Ａ）の曲げに伴う径寸法の膨らみの公差が比較的小さい場合は、図２Ｃのような状態となる。
【００６９】
すなわち、冷媒チューブ３と第一端板４が摩擦接触する部分は、先程と異なり、縦列挿入穴７（横列挿入穴９）における円弧部７１の一部と、略二等辺三角形部７Ｂ（略二等辺三角形部９Ｂ）の片側の直線部７２である。
【００７０】
換言すると、曲管部３ｂ（曲管部３Ａ）の曲面は、図２Ｃのように略二等辺三角形部７Ｂ（略二等辺三角形部９Ｂ）の直線部７２に妨げられることなく、縦列挿入穴７（横列挿入穴９）の円弧部７１の一部と接することができる。
【００７１】
したがって、冷媒チューブ３が第一端板４と干渉（摩擦接触）する状態は、冷媒チューブ３において、縦列挿入穴７（横列挿入穴９）における円弧部７１の一部と略二等辺三角形部７Ｂ、（略二等辺三角形部９Ｂ）の片側の直線部７２と接触している状態において、第一端板４がプレートフィン群２に近づく距離（長さ）で延びる線状態である。この場合は、図２Ｂよりも若干接触面積は大きくなるが、冷媒チューブ３に過剰な摩擦応力を与えることなく第一端板４を装着することができる。
【００７２】
しかも、冷媒チューブ３は、その拡管工程の前において縦列挿入穴７および横列挿入穴９の円弧部７１の一部と接触することが可能な状態である。そのため、拡管工程後は、冷媒チューブ３は、縦列挿入穴７および横列挿入穴９との接触が良好となり、冷媒チューブ３と第一端板４および第二端板５との接触面積が確保でき、三者の確実な密着固定を確保することができる。
【００７３】
また、第一端板４および第二端板５のそれぞれに設けた端部穴６、縦列挿入穴７、横列挿入穴９および第二貫通穴８の各寸法を、冷媒チューブ３の径および蛇行幅（曲げ幅）Ｍよりも若干大きく設定している。これによっても冷媒チューブ３と第一端板４、第二端板５との干渉（擦れ、引っかかり等）が少ない。
【００７４】
その結果、組立て時における冷媒チューブ３あるいはプレートフィン群２の損傷を少なくすることができる。このように、熱交換器１としての変形がほとんど生じないもので、例えば、プレートフィンの変形に伴う通風抵抗の増大に起因した熱交換器の性能低下等が抑制でき、品質の向上をはかることができる。
【００７５】
また、冷媒チューブ３の始端３ｃと終端３ｄが直管部となるので、始端３ｃと終端３ｄの長さを適宜設定することにより、この部分で、従来リードパイプと称する流体回路側との接続を容易とする短寸法パイプの機能を兼ねさせることができる。すなわち、従来のような短寸法パイプのロウ付け作業が不要となり、ロウ付け不良に伴う品質低下を抑制することができる。
【００７６】
さらに、上述の如く、冷媒チューブ３等の損傷（座屈、反り、折れ曲がり等）を抑制した組立てが可能なため、歩留まりがよく、生産性を高めることができ、製造コストの低減化が可能となる。
【００７７】
また、上述の組立て工程において、冷媒チューブ３のプレートフィン群２への挿入に際し、予めプレートフィン群２における挿入先面側に第二端板５あるいはそれに代わる金属板等を当接し、冷媒チューブ３の挿入を行うようにすれば、冷媒チューブ３の挿入に起因するプレートフィン群２の撓み変形等が抑制でき、熱交換器１の品質低下が抑制できる。
【００７８】
特に前者の場合は、冷媒チューブ３の第二端板５への挿入も並行して行えるため、手作業の場合であれば作業効率が向上し、自動機の場合であれば設備構成の簡略化が期待できる。さらに冷媒チューブ３と第二端板５との干渉時間（摺動摩擦長さ）も短いため、冷媒チューブ３の損傷、品質低下を抑制することもできる。
【００７９】
さらに、冷媒チューブ３の横列Ｂ方向への蛇行加工は、縦列Ａ方向への蛇行加工と比較して、管に作用する応力方向にひねりが作用する関係から若干寸法にばらつきが生じやすい。しかし、本実施の形態の如く、横列挿入穴９を若干大きく形成することにより、上述の寸法のばらつきに伴う冷媒チューブ３挿入時の摩擦を最小限に抑制することができる。
【００８０】
また、第一端板４、第二端板５のプレートフィン群２への当接面は、縦列挿入穴７、横列挿入穴９および貫通穴８の周縁に形成されたバリ１０ａ、１０ｂがそれぞれ外側へ延出する方向である。このことにより、冷媒チューブ３の挿入工程において、曲管部３Ａ、３ｂ、３Ｂとの相対的な移動方向がバリ１０ａ、１０ｂの延出方向と同一方向となるため、バリ１０ａ、１０ｂが冷媒チューブ３の表面に食込むことも抑制され、冷媒チューブ３の挿入作業がより円滑に行える。
【００８１】
しかも、各端板４、５に安価な鋼板等を用いることができ、材料コストの高騰化を抑制することができる。
【００８２】
さらに、第一端板４の端部穴６を貫通した始端３ｃと終端３ｄは、端部穴６の径が冷媒チューブ３の径よりも大きく設定されている。このことから、端部穴６周縁と干渉することがなく、冷媒チューブ３内を冷媒が流れることによって生じる振動に起因してその表面が疲労破壊し、生地リークすることを防止することができる。
【００８３】
なお、かかる構成は、冷媒チューブ３の蛇行状加工において縦列Ａ数、横列Ｂ数が多少増加した構成であっても支障なく組立てが可能であり、同様の作用効果が期待できる。
【００８４】
さらに、必要に応じて第二端板５に設けた第二貫通穴８の矩形部８Ａと円部８Ｂの接続部分（角部）にＲ部（面取り）を施すことで、第二端板５を冷媒チューブ３に挿入する際に懸念される、冷媒チューブ３の損傷をさらに低減することができる。
【００８５】
また、冷媒チューブ３の曲管部３Ａ、３ｂが貫通する第一端板４に設けた縦列挿入穴７、横列挿入穴９、および第二端板５に設けた第二貫通穴８において、冷媒チューブ３が通過する部分にバーリングを設けることによって、冷媒チューブ３の挿入をさらによくすることができる。したがって、冷媒チューブ３と第一端板４、第二端板５の固定状態をさらによくすることができる。
【００８６】
なお、本実施の形態では、三角形部を二等辺三角形部７０としたが、本発明は、他の三角形状の三角形部でも同様の効果を得ることが期待できる。しかし、特に二等辺三角形が冷媒チューブ３との接触において位置的にバランスがとれ易く、摩擦接触を低減する効果が大きい。
【００８７】
（実施の形態２）
図９は、本発明の実施の形態２における熱交換器の斜視図である。図１０は、同実施の形態２における熱交換器の第一端板側からの平面図である。図１１は、同実施の形態２の熱交換器を構成する第一端板の組立て前の平面図である。
【００８８】
本実施の形態２と実施の形態１との違いは、本実施の形態２が、実施の形態１の構成に加えて、さらに、第一貫通穴である縦列挿入穴７に併設され、その一部が第一貫通穴側へ突出して冷媒チューブの外壁に密着する密着部を有する加工穴を具備したことである。
【００８９】
したがって、以下の本実施の形態の説明では、実施の形態１と同じ構成要素については同じ符号を用いて説明は省略する。
【００９０】
本実施の形態２では、図９〜図１１において、第一端板４には、実施の形態１で説明した構成に加えて、さらに、第一貫通穴としての縦列挿入穴７の近傍で、かつ縦列挿入穴７の長辺方向と平行方向に延出する矩形の加工穴１１が設けられている。この加工穴１１は、第一端板４の周縁との間において、最も外側に位置する縦列挿入穴７が位置するように設けられている。本実施の形態においては、左右それぞれにおいて横２列に亘り形成された縦列挿入穴７に対応して設けられている。かかる加工穴１１の形成は、熱交換器１の大きさ、あるいは冷媒チューブ３の縦列数、横列数に応じて任意に設定することができるものである。したがって、小型軽量の熱交換器の場合であれば、左右の最外側に位置する縦列挿入穴７あるいは横列挿入穴９にのみ対応した加工穴の形成とすることもできる。
【００９１】
加工穴１１は、熱交換器１の組立て状態においては、縦列挿入穴７と加工穴１１で挟まれた部分である密着部１２が、図１１の状態から図９および図１０に示すように、その一部が冷媒チューブ３と密着するようにカシメ加工等によって塑性変形されている。したがって、加工穴１１は、図１０に示す如く、台形を基調として斜辺が若干湾曲した形状に変形している。
【００９２】
次に、以上のように構成された本実施の形態２の熱交換器を組立てる際には、まず実施の形態１と同じ工程を行う。
【００９３】
すなわち、図７〜図９において、まず、冷媒チューブ３をプレートフィン群２の冷媒チューブ挿入穴２ａに挿入する。その後、第一端板４および第二端板５を、プレートフィン群２の両側から、縦列貫通穴７、横列貫通穴９が曲管部３ｂ、３Ａを貫通するように、また、第二貫通穴８が曲管部３Ｂを貫通するように挿入する。その後、冷媒チューブ３の拡管により、冷媒チューブ３とプレートフィン群２、第一端板４、第二端板５のそれぞれを相互に密着固定させる。
【００９４】
この状態は、第一端板４に設けた縦列挿入穴７および横列挿入穴９の寸法が、第二端板５に設けた第二貫通穴８よりも微妙に大きいため、冷媒チューブ３と第一端板４との密着固定がやや不安定な状態にある。
【００９５】
そこで、本実施の形態２では、かかる状態において、第一端板４に設けた加工穴１１の密着部１２を、治具等（図示せず）にて縦列挿入穴７側へ塑性変形させる。これにより、冷媒チューブ３は、縦列挿入穴７の一側面と密着部１２によって挟持固定される。その結果、冷媒チューブ３は、第一端板４と安定した固定が行われる。かかる工程を終えることにより、熱交換器１の組立てが完了する。
【００９６】
このように、本実施の形態２においては、密着部１２の塑性変形によって冷媒チューブ３と第一端板４の固定を行うようにしている。そのため、図１０における縦列挿入穴７および横列挿入穴９の幅寸法（第一矩形部７Ａ、９Ａの短辺寸法）は、実施の形態１の縦列挿入穴７および横列挿入穴９の幅寸法（第一矩形部７Ａ、９Ａの短辺寸法）よりも若干大きく設定することができる。図１０は、その点を誇示して示しているため、冷媒チューブ３の曲管部３ｂ、曲管部３Ａの両側に空間を描いている。
【００９７】
なお、本実施の形態２では、冷媒チューブ３の第一端板４、第二端板５への貫通状態において、拡管工程後に密着部１２の塑性変形を行うようにした。しかし、塑性変形工程を先に行い、その後拡管工程とすることも可能である。この場合、密着部１２をカシメ加工等によって塑性変形する塑性応力を若干弱める等、その後の拡管によって冷媒チューブ３が変形しない（微小な変形は除く）ように配慮しておくことが望ましい。
【００９８】
このように、本実施の形態２の熱交換器では、実施の形態１の効果に加えて、冷媒チューブ３と第一端板４とが、実施の形態１よりも安定して固定できるという効果を奏する。
【産業上の利用可能性】
【００９９】
以上のように本発明は、製造歩留まりがよく、低コスト、かつ高品質な熱交換器である。したがって、冷蔵庫、自動販売機等の流体を冷媒とする熱交換機器の他に、ラジエター等の如く水等の液体を流体とする熱交換機器を具備する産業機器分野にわたって広く適用することができる。
【図面の簡単な説明】
【０１００】
【図１】本発明の実施の形態１における熱交換器の斜視図
【図２Ａ】同実施の形態１における熱交換器の第一端板の平面図
【図２Ｂ】同実施の形態１における熱交換器の第一端板の要部平面図
【図２Ｃ】同実施の形態１における熱交換器の第一端板の他の要部平面図
【図３】同実施の形態１における熱交換器の第二端板の平面図
【図４】同実施の形態１における熱交換器のプレートフィンの平面図
【図５】同実施の形態１における熱交換器の第一端板に設けられた第一貫通穴の平面図
【図６】同実施の形態１における熱交換器の第二端板に設けられた第二貫通穴の平面図
【図７】同実施の形態１における熱交換器の製造工程において冷媒チューブをプレートフィン群へ挿入する前の工程図
【図８】同実施の形態における熱交換器の冷媒チューブの貫通状態を示す要部断面図
【図９】本発明の実施の形態２における熱交換器の斜視図
【図１０】同実施の形態２における熱交換器の第一端板側からの平面図
【図１１】同実施の形態２における熱交換器の第一端板の平面図
【図１２】従来例における熱交換器の斜視図
【符号の説明】
【０１０１】
１    熱交換器
２    プレートフィン（プレートフィン群）
２ａ  冷媒チューブ挿入用穴
２ｂ  矩形部
２ｃ  円部
３    冷媒チューブ
３Ａ  曲管部
３Ｂ  曲管部
３ａ  直管部
３ｂ  曲管部
３ｃ  始端
３ｄ  終端
４    第一端板
５    第二端板
６    端部穴
７    縦列挿入穴（第一貫通穴）
７Ａ  第一矩形部
７Ｂ  略二等辺三角形部
８    第二貫通穴
８Ａ  第二矩形部
８Ｂ  円部
９    横列挿入穴（第一貫通穴）
９Ａ  第一矩形部
９Ｂ  略二等辺三角形部
１０ａ  バリ
１０ｂ  バリ
１１    加工穴
１２    密着部
７０    二等辺三角形
７１    円弧部
７２    直線部
Ａ      縦列
Ｂ      横列
【図１】
0005062067.tif 000002
【図２Ａ】
0005062067.tif 000003
【図２Ｂ】
0005062067.tif 000004
【図２Ｃ】
0005062067.tif 000005
【図３】
0005062067.tif 000006
【図４】
0005062067.tif 000007
【図５】
0005062067.tif 000008
【図６】
0005062067.tif 000009
【図７】
0005062067.tif 000010
【図８】
0005062067.tif 000011
【図９】
0005062067.tif 000012
【図１０】
0005062067.tif 000013
【図１１】
0005062067.tif 000014
【図１２】
0005062067.tif 000015